(57)【特許請求の範囲】
【請求項１】
燃焼部を包囲する二重の空冷室を形成し、空冷室の上面、側面、底面に多数の空気孔を形成し、底面および側面の空気孔より流入し空冷室を貫通して上面の空気孔より流出する空気流を発生させ、該空気流によりコンロ側面を冷却する金属製七輪において、
内側の空冷室と外側の空冷室との隔壁の上部に複数個の連通孔を形成するとともに、内側の第２空冷室の上面および内面を空気孔の存在しない遮断壁として、内側の第２空冷室の底部よりの空気流を外側の第１空冷室の上部に導入したことを特徴とする金属製七輪。
【請求項２】
燃焼部を包囲する二重の空冷室を形成し、空冷室の上面、側面、底面に多数の空気孔を形成し、底面および側面の空気孔より流入し空冷室を貫通して上面の空気孔より流出する空気流を発生させ、該空気流によりコンロ側面を冷却する金属製七輪において、
内側の空冷室と外側の空冷室との隔壁の上部に複数個の連通孔を形成するとともに、内側の第２空冷室の上面および内面を空気孔の存在しない遮断壁として、内側の第２空冷室の底部よりの空気流を外側の第１空冷室の上部に導入するとともに、
外側の第１空冷室の外壁を形成する七輪側面の上半部にのみ空気孔を形成して、外側の第１空冷室において、七輪の底面部よりの上昇空気流に、七輪側面の上半部よりの空気流と、内側の第２空冷室の上部よりの連通孔を介しての空気流とを合流させたのち、外側の第１空冷室の上部の空気孔より流出させることを特徴とすね金属製七輪。
【発明の詳細な説明】
【０００１】
【発明の属する技術分野】
本願発明は、木炭または人工木炭を使用する七輪（卓上コンロ、バーべキュコンロ）に関するものである。より詳しくは、金属製品（鉄板製品、アルミ製品等）とすることで軽量とした金属製七輪に関するものである。
【０００２】
【従来の技術】
この種のコンロとして、燃焼部を包囲する二重の環状の空冷室を形成し、空冷室の上面、側面、底面に多数の空気孔を形成し、底面および側面の空気孔より流入し空冷室を貫通して上面の空気孔より流出する空気流を発生させ、該空気流によりコンロ側面を冷却するものが公知である。また、二重の環状空気室の内側の環状空気室に断熱材を装填したものも公知である。
【０００３】
【発明が解決しようとする課題】
前記の公知の七輪は、金属製品とすることで軽量とし、燃焼室を二重の空冷室で包囲することで、断熱効果を高めて七輪側面の温度上昇を防いでいる。
内側の環状空気室の上面に空気孔が形成されていることで、網焼調理に際し、網の周辺部に載置された焼肉の煮汁が、上面の空気孔をとおして空冷室に落下して空気室を構成する金属板に付着して、空冷室を汚す問題点がある。
よって、本願発明は、網焼調理に際し、網の周辺部に載置された焼肉の煮汁が、上面の空気孔をとおして空冷室に落下して空冷室を汚す問題点を解決し、且つ、空気流による冷却効果を高めることを課題とする。
【０００４】
【課題を解決ための手段】
本願第１発明は、燃焼部を包囲する二重の空冷室を形成し、空冷室の上面、側面、底面に多数の空気孔を形成し、底面および側面の空気孔より流入し空冷室を貫通して上面の空気孔より流出する空気流を発生させ、該空気流によりコンロ側面を冷却する金属製七輪において、内側の第２空冷室と外側の第１空冷室との遮断壁の上部に複数個の連通孔を形成するとともに、内側の第２空冷室の上面および内面を空気孔の存在しない遮断壁とする。
本願第２発明は、第１発明に加えて、外側の第１空冷室の外壁を形成する第１ケース側板の上半部にのみ空気孔を形成する。
【０００５】
【発明の作用】
本願第１発明は、内側の第２空冷室の底部よりの空気流を外側の第１空冷室の上部に導入し、外側の第１空冷室を上昇する空気流と合流させる。
本願第２発明は、外側の第１空冷室において、七輪の底面部よりの上昇空気流に、七輪側面の上半部よりの空気流と、内側の第２空冷室の上部よりの連通孔を介しての空気流とを合流させたのち、外側の第１空冷室の上部の空気孔より流出させる。
【０００６】
【実施例】
図面に示す本発明の実施例にもとづいて本発明を詳細に説明する。
図１および図２を参照して、本願第１発明を説明する。
【０００７】
内ケース側板２１と内ケース底板２２とよりなる内ケース２で燃焼部Ａを包囲する。
外ケース側板１１と外ケース底板１２とよりなる外ケース1を構成し、外ケース1の内方に前記内ケース２を挿入し、外ケース側板と１１と内ケース側板２１との間に遮壁板３を介そうして、燃焼部Ａを包囲する二重の環状空気室を形成して第１空冷室Ｂ１および第２空冷室Ｂ２を構成する。また、内ケース底板２２と外ケース底板１２との間で第２空冷室Ｂ２に連通する底面空冷室Ｃを構成する。
【０００８】
第１空冷室Ｂ1の頂面を遮蔽する第１頂面部４１と、第２空冷室Ｂ２の頂面を遮蔽する第２頂面部４２とよりなる頂面板４を設ける。
【０００９】
第１空冷室Ｂ1の頂面を遮蔽する第１頂面部４１に、頂面空気孔５1を形成し、前記頂第２空冷室Ｂ1の頂面を遮蔽する第２頂面部４２には空気孔の存在しない遮蔽面として、頂面板４には、外周寄り部分、即ち、第１空冷室Ｂ1の頂面を遮蔽する第１頂面部４１にのみ、空気孔５１が存在する。
【００１０】
内ケース側板２１と内ケース底板２２とよりなる内ケース２で燃焼部Ａを包囲する。
外ケース底板１２の第1空冷室Ｂ1の下方位置、第２空冷室Ｂ２の下方位置および底面空冷室Ｃの下方位置に、それぞれ空気孔５２、５３、５４を形成する。
外ケース側板１１の上半部に、複数段に配置された多数の空気孔５５を形成する。
遮壁板３の上部に一列配置で多数の空気孔５６を形成する。
【００１１】
６は、コンロ正面の取入れ空気調整口１４に連通する燃焼空気流入通路で、第１空冷室Ｂ1および第２空冷室Ｂ２を横切り燃焼部Ａに開口している。
７は、燃焼室Ａに挿入した燃焼台で、一対の傾斜壁７１と空気孔７３を有する火床７２を脚７４により空気流入口６より上方に維持している。
【００１２】
図２を参照して、８は焼網、９は高さ調整金具、１０は取っ手、1３は脚台である。
【００１３】
焼網８は、その周縁は第１空気孔５１よりも内方に位置している。したがってね焼網８の周縁部に置いた調理中の食品の水滴（例えば、焼き肉の肉汁）等が、空冷用の空気孔よりコンロ内へ侵入することは無い。
【００１４】
燃焼室Ａを包囲する第２空冷室Ｂ２および第１空冷室Ｂ1を通過する空気流により冷却されることで、外ケース側板11が一定温度以下に維持される。
この際、外側の第１空冷室Ｂ１を上昇する空気流Ｋ1に、第２空冷室Ｂ２を上昇し空気孔５５より第１空冷室Ｂ２に流入する第２空気流Ｋ２が流入することで、第１空冷室Ｂ1の上端部で合流して、排出空気流Ｋとして流出することで、合流による吸引効果により第２空気流の速度が上昇するとともに、整流され乱流が存在しないことで、第２空冷室の冷却効果は大である。実験結果では、断熱材を充填した場合に比して冷却効果は大である。
【００１５】
更に、外ケース側板１１の上部の空気孔５６よりの流入空気流Ｋ３が前記空気流Ｋ１に合流することにより、合流による吸引効果により第１空気流の速度が上昇するとともに、整流され乱流が存在しないことで、第１空冷室の冷却効果は大である。
【００１６】
【発明の効果】
本願発明は、内側の空冷室の上面に空気孔が存在しないので、網焼調理に際し、網の周辺部に載置された焼肉の煮汁が、上面の空気孔を貫通して空冷室に落下することがなく、して環状空気室を形成する金属板に付着して、内側の空冷室を汚す問題点を解決することができるものであり、かつ、空気流による冷却効果を高め、断熱材を使用することなく七輪の側面を比較的低温に維持することができる効果を有する。
【図面の簡単な説明】
【図１】本願発明の実施例を示す金属製七輪の縦断面図
【図２】同じく斜視図
【図３】同じく平面図
【図４】同じく底面図
【符号の説明】
Ａ    燃焼室
Ｂ1  第１空冷室
Ｂ2  第２空冷室
Ｃ    底面空冷室
１    外ケース
２    内ケース
３    遮壁板
51    頂面空気孔
52、53、54、55    空気孔
【図１】
0004418966.tif 000002
【図２】
0004418966.tif 000003
【図３】
0004418966.tif 000004
【図４】
0004418966.tif 000005